(57)【要約】【課題】温水暖房機能を備えた燃焼加熱式の温水熱源機において、暖房のための燃焼運転が長時間継続した場合であっても確実にファンモータの駆動電流の確認処理を実施する。【解決手段】  温水熱源機（１）は、暖房用温水を暖房端末に供給するように構成された温水暖房機能を備えた燃焼加熱式の温水熱源機である。温水熱源機（１）は、燃焼用空気を燃焼用バーナに供給するためのファン３５と、ファン３５を駆動するためのファンモータ３６と、ファンモータ３６の駆動電流値を検出する電流値検出部５３と、制御部４と、を備える。制御部４は、温水暖房運転を行っているときに燃焼運転の開始から所定の時間が経過すると、当該燃焼運転を停止し、ファン３５を駆動させて掃気運転を実施し、その掃気運転において電流値検出部５３により検出した駆動電流値を取得する。【選択図】図２
2019168125.tif 000002
【特許請求の範囲】
【請求項１】
暖房用温水を暖房端末に供給するように構成された温水暖房機能を備えた燃焼加熱式の温水熱源機であって、
燃焼用空気を燃焼用バーナに供給するためのファンと、
前記ファンを駆動するためのファンモータと、
前記ファンモータの駆動電流値を検出する電流値検出部と、
制御部と、を備え、
前記制御部は、
温水暖房運転を行っているときに燃焼運転の開始から所定の時間が経過すると、当該燃焼運転を停止し、前記ファンを駆動させて掃気運転を実施し、その掃気運転において前記電流値検出部により検出した駆動電流値を取得する、温水熱源機。
【請求項２】
給湯機能及び風呂追焚機能のうち少なくとも１つの機能を更に備え、
前記制御部は、
温水暖房運転を行っているときに燃焼運転の開始から所定の時間が経過した場合であっても、給湯運転、風呂追焚き運転、及び、所定の温水暖房運転のうち少なくとも１つを実施中であれば、前記燃焼運転を継続し、その実施中の運転に係る燃焼運転が終了したときに、掃気運転を実施し、前記電流値検出部により検出した駆動電流値を取得する、請求項１に記載の温水熱源機。
【請求項３】
前記温水暖房機能は、高温又は低温の暖房用温水を暖房端末に供給するように構成され、前記所定の温水暖房運転は、高温の暖房用温水を暖房端末に供給する運転である、請求項２に記載の温水熱源機。
【発明の詳細な説明】
【技術分野】
【０００１】
本発明は、燃焼加熱式の温水熱源機に関する。
【背景技術】
【０００２】
従来、燃焼加熱式の温水熱源機は、燃焼運転停止後の掃気（ポストパージ）時に燃焼用ファンモータの駆動電流を確認する機能を備えている。通常、この駆動電流の確認は１日に１回の頻度で実施される。特許文献１には、ファンモータの駆動電流の検出手段を備えた燃焼装置が開示されている。また、特許文献２には、ポストパージ中にファンモータの駆動電流を検出する燃焼装置が開示されている。
【０００３】
近年では、給湯機能や追い焚き機能に加えて温水暖房機能を備えた複合型の温水熱源機が知られている（例えば特許文献３参照）。温水暖房運転では、床暖房パネルやパネルヒータ、温水ミスト発生装置などの暖房端末に暖房用の温水が供給される。
【先行技術文献】
【特許文献】
【０００４】
【特許文献１】特許第３５３１４００号公報
【特許文献２】特許第４１０６１４８号公報
【特許文献３】特許第６１９４５９７号公報
【発明の概要】
【発明が解決しようとする課題】
【０００５】
しかし、床暖房パネルやパネルヒータ等の暖房端末では、暖房のための燃焼運転が１日を越える長時間にわたって継続する場合がある。この場合、ファンモータの駆動電流の確認が実施できない状況が発生するという問題がある。
【０００６】
そこで、本発明では、温水暖房機能を備えた燃焼加熱式の温水熱源機において、暖房のための燃焼運転が長時間継続した場合であっても確実にファンモータの駆動電流の確認処理を実施することを目的とする。
【課題を解決するための手段】
【０００７】
本発明の一態様に係る温水熱源機は、暖房用温水を暖房端末に供給するように構成された温水暖房機能を備えた燃焼加熱式の温水熱源機であって、燃焼用空気を燃焼用バーナに供給するためのファンと、前記ファンを駆動するためのファンモータと、前記ファンモータの駆動電流値を検出する電流値検出部と、制御部と、を備え、前記制御部は、温水暖房運転を行っているときに燃焼運転の開始から所定の時間が経過すると、当該燃焼運転を停止し、前記ファンを駆動させて掃気運転を実施し、その掃気運転において前記電流値検出部により検出した駆動電流値を取得する。
【０００８】
上記構成によれば、温水暖房運転中に温水暖房のための燃焼運転が長時間にわたって継続されていても、燃焼運転の開始から所定の時間が経過すると、当該燃焼運転を停止して掃気運転が実施される。燃焼時間を判断した上で暖房燃焼を強制的に実施するので、ユーザの使用感を損なうことなく、ファンモータの駆動電流の確認処理を確実に実施することができる。
【０００９】
上記温水熱源機は、給湯機能及び風呂追焚機能のうち少なくとも１つの機能を更に備え、前記制御部は、温水暖房運転を行っているときに燃焼運転の開始から所定の時間が経過した場合であっても、給湯運転、風呂追焚き運転、及び、所定の温水暖房運転のうち少なくとも１つを実施中であれば、前記燃焼運転を継続し、その実施中の運転に係る燃焼運転が終了したときに、掃気運転を実施し、前記電流値検出部により検出した駆動電流値を取得するようにしてもよい。
【００１０】
上記構成によれば、例えば給湯機能、風呂追焚機能及び温水暖房機能を備えた複合型の温水熱源機であっても、これらの運転に係る燃焼運転が終了したときに、掃気運転を実施するので、ファンモータの駆動電流の確認処理を確実に実施することができる。
【００１１】
前記温水暖房機能は、高温又は低温の暖房用温水を暖房端末に供給するように構成され、前記所定の温水暖房運転は、高温の暖房用温水を暖房端末に供給する運転であってもよい。
【００１２】
尚、所定の温水暖房運転としては、例えば、（１）高温暖房端末である、浴室暖房乾燥機の暖房運転および乾燥運転、（２）同じく高温暖房端末である、温水ミスト発生装置のミスト運転等が挙げられる他、（３）低温暖房端末である床暖房装置における、ホットダッシュ運転（床暖房運転開始時の急速立ち上げのため、低温暖房端末へ一時的に高温水が供給される運転）が挙げられる。つまり、暖房運転が長時間（例えば１２時間）継続したときに即座に燃焼を停止させて良いのは、温水供給が、低温暖房端末のみに行われているとき（ホットダッシュ運転中を除く）である。つまり、給湯運転、風呂追い焚き運転、及び、高温水を供給する暖房運転は、いずれも短時間で終了することを想定しているので、即座には燃焼停止させず、燃焼停止するのを待つ。これにより、掃気運転を実施して、ファンモータの駆動電流の確認処理を確実に実施することができる。
【発明の効果】
【００１３】
本発明の燃焼加熱式の温水熱源機によれば、暖房のための燃焼運転が長時間継続した場合であっても確実にファンモータの駆動電流の確認処理を実施することができる。
【図面の簡単な説明】
【００１４】
【図１】図１は、本発明の第１実施形態に係る燃焼装置の一例を示す概略構成図である。
【図２】図２は、図１の制御部の構成の一例を示すブロック図である。
【図３】図３は、燃焼運転時のモータ電流取得処理の一例を示すフローチャートである。
【図４】図４は、第２実施形態に係る燃焼運転時のモータ電流取得処理の一例を示すフローチャートである。
【発明を実施するための形態】
【００１５】
以下、好ましい実施の形態を、図面を参照しながら以下に説明する。なお、以下では全ての図面を通じて同一又は相当する要素には同一の参照符号を付して、その重複する説明を省略する。また、図面は理解しやすくするために、それぞれの構成要素を模式的に示したものである。
【００１６】
（第１実施形態）
図１は、本発明の第１実施形態に係る燃焼装置の一例を示している。この図１に示す燃焼装置は、温水熱源機として、カランなどの給湯栓に給湯用の温水を供給する給湯機能と、床暖房パネルやパネルヒータ、温水ミスト発生装置などの温水暖房装置（暖房端末）に暖房用の温水を供給する暖房機能と、浴槽内の湯水を追い焚きするふろの追い焚き機能とを備えたガス暖房給湯装置１を示している。ガス暖房給湯装置１は、複合型の温水熱源機である。このように給湯機能、暖房機能およびふろの追い焚き機能を備えたガス暖房給湯装置１の構成自体は公知であるのでここではその詳細な説明は省略し、本発明に関係する範囲で簡潔にその構成を説明する。
【００１７】
このガス暖房給湯装置１は、給湯用の温水を生成する給湯用温水生成部２と、暖房用およびふろ追い焚き用の温水を生成する暖房用温水生成部３と、これら各温水生成部２，３を制御する制御部４とを主要部として備えている。ガス暖房給湯装置１の缶体５の下部には給気部５ａが開口し、この給気部５ａに連設されたファンケース２２の内部には、直流モータであるファンモータ３６により回転駆動されるファン（例えばシロッコファン）３５が配設されている。缶体５の上部には排気部５ｂが外部に向けて開口されている。ここで、前記給気部５ａは、缶体５を内蔵する給湯器ケースの内部空間から空気を取り込み、給気部５ａを通して燃焼室に対し燃焼用空気として送風するように構成されている。
【００１８】
給湯用温水生成部２は、カランなどの給湯栓に供給するための温水（給湯用温水）を生成する温水生成部である。給湯用温水生成部２は、給湯用バーナ（給湯用の燃焼部）２１と、給湯用バーナ２１の燃焼ガスから熱回収を行う給湯用一次熱交換器２３と、給湯用一次熱交換器２３で熱回収後の燃焼ガス（排ガス）から熱回収を行う給湯用二次熱交換器２４とを主要部として備えている。給湯用温水生成部２は、入水管６を介して水源から導入される水を給湯用二次熱交換器２４および給湯用一次熱交換器２３で順次加熱昇温して、給湯栓に接続された出湯管７に供給するように構成されている。なお、図１において、８は入水管６と出湯管７を連通させるバイパス管である。このバイパス管８には制御部４によって制御される流量調整弁９が備えられている。
【００１９】
ここで、給湯用バーナ２１は、ガスを燃料とするガスバーナで構成されている。給湯用バーナ２１にはガスなどの燃料を供給するための燃料供給管（図示せず）が接続され、燃料供給管には開閉弁（図示せず）等が介装され、この開閉弁等は制御部４によって作動制御されるように構成されている。給湯用バーナ２１の近傍にはイグナイタ（図示せず）により作動される点火プラグ（図示せず）が配設されており、これらイグナイタや点火プラグも制御部４によって作動制御される。給湯用バーナ２１の燃焼／燃焼停止（非燃焼）並びに燃焼能力は、いずれも制御部４によって制御されるように構成されている。
【００２０】
一方、暖房用温水生成部３は、図示しない温水暖房装置に供給するための暖房用温水を生成する温水生成部である。暖房用温水生成部３は、暖房用バーナ（暖房用の燃焼部）３１と、暖房用バーナ３１の燃焼ガスから熱回収を行う暖房用一次熱交換器３３と、暖房用一次熱交換器３３で熱回収後の燃焼ガス（排ガス）から熱回収を行う暖房用二次熱交換器３４とを主要部として備えている。
【００２１】
そして、本実施形態では、この暖房用温水生成部３は、パネルヒータや温水ミスト発生装置（ミストサウナ装置）などのように暖房用温水として比較的高温（たとえば、８０℃程度）の温水を必要とする温水暖房装置（以下、「高温端末」と称する）と、床暖房パネルのように暖房用温水として比較的低温（たとえば、６０℃程度）の温水を必要とする温水暖房装置（以下、「低温端末」と称する）の双方に暖房用温水の供給ができる温水暖房機能を備えている。
【００２２】
すなわち、この暖房用温水生成部３では、暖房用温水の生成にあたり、循環ポンプ１２を作動させて温水暖房装置と暖房用温水生成部３との間で温水を強制循環させる。これにより高温端末および低温端末で放熱後の暖房用温水（暖房戻り温水）が暖房戻り管１０を介して暖房用二次熱交換器３４に導入され、暖房用二次熱交換器３４で加熱昇温（予熱）された後に膨張タンク１１に導入される。そして、膨張タンク１１内の低温の温水は暖房用一次熱交換器３３に導入され、暖房用一次熱交換器３３で更に加熱昇温されて高温の暖房用温水が生成され、この高温の暖房用温水が高温暖房往き管１３を介して高温端末に供給されるようになっている。これに対して、低温端末に対しては膨張タンク１１内の低温の温水が低温暖房往き管１４を介して供給されるようになっている。つまり、低温端末には、暖房用一次熱交換器３３で加熱昇温される前の低温の温水が供給されるようになっている。
【００２３】
また、暖房用バーナ３１は、ガスを燃料とするガスバーナで構成されている。暖房用バーナ３１にはガスなどの燃料を供給するための燃料供給管（図示せず）が接続され、燃料供給管には開閉弁（図示せず）等が介装され、この開閉弁等は制御部４によって作動制御されるように構成されている。暖房用バーナ３１の近傍にはイグナイタ（図示せず）により作動される点火プラグ（図示せず）が配設されており、これらイグナイタや点火プラグも制御部４によって作動制御される。暖房用バーナ３１の燃焼／燃焼停止（非燃焼）並びに燃焼能力は、いずれも制御部４によって制御されるようになっている。
【００２４】
また、本実施形態の暖房用温水生成部３は、温水暖房機能に加えて、ふろ追い焚き機能に関する構成として、高温暖房往き管１３から分岐された配管に液液熱交換器４１が備えられている。この液液熱交換器４１の二次側には、浴槽から液液熱交換器４１に湯水を導入するふろ戻り管４２と、液液熱交換器４１で加熱昇温された湯水を浴槽に導出するふろ往き管４３とが接続されており、ふろ戻り管４２に備えられる追い焚き用の循環ポンプ４４によって浴槽との間で湯水の強制循環が行われるように構成されている。
【００２５】
図２は、ガス暖房給湯装置１の制御部４の構成の一例を示すブロック図である。図２に示すように、制御部４は、ガス暖房給湯装置１の各部を制御する制御装置であって、制御部４は、ファン駆動制御部５０と、給湯制御部６０と、暖房制御部７０と、追い焚き制御部８０とを含む各種制御部を備えている。制御部４は、図示しない操作装置などから与えられる制御信号に基づいて、給湯機能、暖房機能およびふろの追い焚き機能に関する各種制御を行うほか、ファンモータ３６の駆動電流の取得処理を後述する手順で実行するようにプログラムされている。
【００２６】
給湯制御部６０は、給湯栓が開栓され、入水管６に備えられる水量センサ（図示せず）において所定流量以上の通水が検出されると、この通水検知を給湯用温水の出湯要求（給湯用バーナ２１の燃焼要求）として受け付けて、給湯用バーナ２１に点火し、給湯用バーナ２１の燃焼制御を行う（図１参照）。なお、この燃焼制御は、入水管６の入水流量および入水温度と、図示しないガス暖房給湯装置の操作装置（リモコン）などで設定される給湯設定温度に基づいて行われる。すなわち、給湯制御部６０は、給湯用バーナ２１の燃焼制御として、出湯管７から給湯設定温度の温水が出湯されるように給湯用バーナ２１の燃焼能力を調整する。
【００２７】
暖房制御部７０は、温水暖房装置（または暖房装置の操作装置）からの暖房要求（暖房用バーナの燃焼要求）を受け付けることによって暖房用バーナ３１の燃焼を開始するように制御する（図１参照）。燃焼開始後は、高温暖房往き管１３（具体的には、暖房用一次熱交換器３３の出湯側出口）に備えられる温度センサ１８の検出温度に基づいて、この温度が所定の上限温度（たとえば、８７℃）より高い場合には燃焼を停止し、所定の下限温度（たとえば、７０℃）よりも低い場合には燃焼を再開するように制御する。なお、本実施形態では、膨張タンク１１の下部にも温度センサ１９が備えられており、暖房制御部７０は、この温度センサ１９によって暖房戻り温水の温度を検出できるようになっている。尚、温度センサ１９は、高温端末が停止中で、低温端末のみに低温水（６０℃）を供給するときに用いられ、暖房制御部７０は、例えば温度センサ１９で検出される温度が６７℃を上回ると燃焼停止させ、５０℃を下回ると燃焼再開させる。
【００２８】
追い焚き制御部８０は、浴槽内の湯水の追い焚きを行う場合には、循環ポンプ４４を作動させて浴槽内の湯水を液液熱交換器４１に強制循環させるとともに、暖房用バーナ３１を燃焼させ、さらに、液液熱交換器４１の下流側の追い焚き開閉弁４５を開くことにより、暖房用一次熱交換器３３から供給される高温の暖房用温水を利用してふろの追い焚きを行うように制御する（図１参照）。なお、このふろの追い焚き機能に伴う暖房用バーナ３１の燃焼は、上述した給湯設定温度の設定などと同様にガス暖房給湯装置１の操作装置から与えられる追い焚き要求（暖房用バーナ３１の燃焼要求）を追い焚き制御部８０が受け付けることによって開始する。
【００２９】
次に、ファンモータ３６を制御するための構成について説明する。制御部４は、ファン駆動制御部５０と、ファン駆動電力制御部５２と、電流値検出部５３と、電圧値検出部５４と、ファン回転数センサ５５と、を備えている。
【００３０】
ファン駆動制御部５０は、給湯運転、温水暖房運転、および追い焚き運転において給湯用バーナ２１、暖房用バーナ３１での十分な燃焼性能が確保されるようにファンモータ３６の駆動を制御する。ファン駆動電力制御部５２は、ファン駆動制御部５０からの制御信号に基づいてファンモータ３６に駆動電力を供給して回転駆動させるように構成される。本実施形態では、ファン駆動電力制御部５２は、モータ駆動ＩＣにより構成される。ファン駆動電力制御部５２は、ファン駆動制御部５０からの制御信号に基づきファンモータ３６への駆動電力をＰＷＭ制御するように構成されてもよいし、ファン駆動制御部５０からの制御信号に基づきファンモータ３６に供給する直流電力をＰＡＭ制御するように構成されていてもよい。
【００３１】
電流値検出部５３は、ファン駆動電力制御部５２からの駆動電力の供給に基づいてファンモータ３６に実際に流れる電流値を検出するように構成される。電流値検出部５３は、例えば抵抗、カレントトランスなどの電流検出素子を備えている。電圧値検出部５４は、ファン駆動電力制御部５２からの駆動電力の供給に基づいてファンモータ３６に実際に印加される電圧値を検出するように構成される。ファン回転数センサ５５は、ファンモータ３６の回転数を検出する。ファン回転数センサ５５は、例えばファンモータ３６に内蔵された複数のホール素子を含むホールＩＣからなる。
【００３２】
本実施形態では、ファン駆動制御部５０は、燃焼停止後にファン３５を駆動させてポストパージ（掃気運転ともいう）を制御するように構成されている。掃気運転とは、いわゆる後沸き防止や再運転時の出湯特性の向上等を目的としてファンモータ３６を一定期間継続して運転することをいう。掃気運転制御は、着火回転数（例えば３４００ｒｐｍ）と同じ回転数を目標回転数として、ファン回転数センサ５５により検出されたファン回転数に基づいてファンモータ３６の駆動電力をフィードバック制御するように構成されている。そして着火制御後の燃焼中の目標回転数は次のようにして定められる。すなわち、ファン３５から缶体５の燃焼室に供給（送風）される空気量はファンモータ３６の回転数に対応するため、着火後の目標回転数は、給湯制御部６０から出力される要求熱量に対応する燃焼量を、所定の空燃比（例えば最適空燃比）での燃焼により実現させるのに必要な空気量に基づいて定められることになる。
【００３３】
本実施形態のファン駆動制御部５０は、燃焼停止後の掃気運転時にファンモータ３６の駆動電流を確認する機能を備えている。具体的には、ファン駆動制御部５０は、ファンモータ３６の駆動電流の確認処理を確実に実施するため、燃焼運転の開始から所定の時間を計時するタイマ部５６と、電流値検出部５３により検出したファンモータ３６の駆動電流値を取得する電流取得部５７と、取得した電流値を記憶しておく記憶部５８とを備える。
【００３４】
以上のような構成のガス暖房給湯装置１において、燃焼運転時のファンモータ３６の電流値取得処理について図３のフローチャートを用いて説明する。このモータ電流取得処理は一日に一回の頻度で実施される。
【００３５】
まず、温水暖房運転において燃焼運転を開始させる（図３のステップＳ１１）。具体的には、暖房制御部７０は、温水暖房装置（または暖房装置の操作装置）からの暖房要求（暖房用バーナの燃焼要求）を受け付けることによって暖房用バーナ３１の燃焼を開始するように制御する。ここでは温水暖房運転を実施する温水暖房装置は、床暖房パネル（低温端末）である。つまり、本実施形態の温水暖房運転は、低温の暖房用温水を低温端末に供給する運転である。低温端末では、暖房のための燃焼運転が１日を越える長時間にわたって継続する場合がある。
【００３６】
そこで、本実施形態では、温水暖房運転の燃焼運転の開始から所定の時間が経過するまで待機する（図３のステップＳ１２）。所定の時間は任意であるが、例えば１２時間である。具体的には、ファン駆動制御部５０は、タイマ部５６を動作させて、燃焼運転の開始から所定の時間が計時され、計時結果を暖房制御部７０に出力する。
【００３７】
次に、温水暖房運転の燃焼運転の開始から所定の時間経過した場合、燃焼運転を停止させる（図３のステップＳ１３）。具体的には、暖房制御部７０は、ファン駆動制御部５０から計時結果を受信し、燃焼運転の開始から所定の時間経過した場合、燃焼運転を強制的に停止させる。
【００３８】
燃焼停止後、ファン駆動制御部５０はファン３５を駆動させて掃気運転を実施する（図３のステップＳ１４）。ファン駆動制御部５０は、掃気運転用の目標回転数を設定し、ファン回転数センサ５５により検出されたファン回転数に基づいてファンモータ３６の駆動電力をフィードバック制御する。
【００３９】
次に、ファン駆動制御部５０は、電流値検出部５３により検出した電流値を取得する（図３のステップＳ１５）。本実施形態では、燃焼停止後のポストパージ毎にファン電流値の確認処理が行われる。この処理は、ガス暖房給湯装置１が設置されてから約１年間にわたって実施される。制御部４が計測する制御部４自体の積算通電時間に基づいて１年間を計時できる。その１年間のポストパージ毎に検出された電流値の平均値が算出される。算出された平均値と、予め制御部４が記憶しているポストパージのファンモータ目標回転数に対応するファンモータ電流値（標準値）とを比較し、その差（あるいはその比率）を求める。以後、検出されるファンモータ電流値は上記の差（あるいはその比率）に基づき補正される。検出された電流値に基づいてファンモータの制御が行われる。
【００４０】
尚、図３のフローチャートではステップＳ１４の後にステップＳ１５が記載されているが、実際は、ステップＳ１４の掃気運転中にステップＳ１５のファン電流値確認処理が実施される。ファンモータ電流値を取得するタイミングとしてポストパージ中が採用されている理由は、ポストパージ中には燃焼運転が停止しており、かつ、ファンの目標回転数が一定であるためである。具体的には、燃焼運転中であれば、要求燃焼量に応じて適宜、開閉状態が切り替えられる燃料系の複数の開閉弁が、燃焼停止中であれば閉止しているため、これらがファンの抵抗にならず、また、ポストパージ中のファンの目標回転数が一定であるため、ファンモータ電流値が安定した状態で電流値を取得できることによる。
【００４１】
本実施形態によれば、温水暖房運転中に温水暖房のための燃焼運転が長時間にわたって継続されていても、燃焼運転の開始から所定の時間が経過すると、当該燃焼運転を停止して掃気運転が実施される。燃焼時間を判断した上で暖房燃焼を強制的に実施するので、ユーザの使用感を損なうことなく、ファンモータの駆動電流の確認処理を確実に実施することができる。
【００４２】
（第２実施形態）
次に、第２実施形態について説明する。以下では、第２実施形態に係るガス暖房給湯装置１の構成は第１実施形態と共通するので、その構成の説明は省略し、相違する点についてのみ説明する。
【００４３】
本実施形態は、温水暖房運転だけでなく、給湯運転及び風呂追焚き運転による燃焼運転も想定した点が第１実施形態とは異なる。図４は、本実施形態に係る燃焼運転時のモータ電流取得処理の一例を示すフローチャートである。図４に示すように、ステップＳ１２−１において、温水暖房運転を行っているときに燃焼運転の開始から所定の時間が経過した場合、給湯運転、風呂追焚き運転、及び、所定の温水暖房運転のうち少なくとも１つの運転が実施中かどうかを判断する（図４のステップＳ１２−１）。尚、所定の温水暖房運転としては、例えば、（１）高温端末である、浴室暖房乾燥機の暖房運転および乾燥運転、（２）同じく高温端末である、温水ミスト発生装置のミスト運転等が挙げられる他、（３）低温端末である床暖房装置における、ホットダッシュ運転（床暖房運転開始時の急速立ち上げのため、低温端末へ一時的に高温水が供給される運転）が挙げられる。つまり、本実施形態の温水暖房運転は、高温の暖房用温水を供給する運転である。いずれの運転も実施されていない場合は、燃焼運転を停止する（図４のステップＳ１３）。その後、掃気運転を実施し（図４のステップＳ１４）、電流値検出部により検出した駆動電流値を取得する（図４のステップＳ１５）。尚、図４のフローチャートでも、図３のフローチャートと同様、ステップＳ１４の後にステップＳ１５が記載されているが、実際は、ステップＳ１４の掃気運転中にステップＳ１５のファン電流値確認処理が実施される。
【００４４】
一方、給湯運転、風呂追焚き運転、及び、所定の温水暖房運転のうち少なくとも１つの運転が実施中であれば（ステップＳ１２−１でＹｅｓ）、燃焼運転を継続し、燃焼運転が終了するまで待機する（図４のステップＳ１２−２）。つまり、給湯運転、風呂追い焚き運転、及び、高温の暖房用温水を供給する温水暖房運転は、いずれも短時間で終了することを想定しているので、即座には燃焼停止させず、燃焼停止するのを待つ。そして、その実施中の運転に係る燃焼運転が終了したときに、掃気運転を実施し（図４のステップＳ１４）、電流値検出部により検出した駆動電流値を取得する（図４のステップＳ１５）。
【００４５】
本実施形態によれば、給湯機能、暖房機能及び追い焚き機能を備えた複合型の温水熱源機において、複数の運転に係る燃焼運転が終了したときに、掃気運転を実施するので、ファンモータの駆動電流の確認処理を確実に実施することができる。
【００４６】
尚、上記実施形態では、給湯機能、温水暖房機能及び追い焚き機能を備えた複合型の温水熱源機について説明したが、温水暖房機能を備えた温水熱源機であれば、温水暖房機能専用の温水熱源機でもよい。
【００４７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００４８】
本発明は、温水暖房機能を備えた燃焼加熱式の温水熱源機に利用できる。
【符号の説明】
【００４９】
１  ガス暖房給湯装置（燃焼装置）
２  給湯用温水生成部
３  暖房用温水生成部
４  制御部
５  缶体
６  入水管
７  出湯管
１０  暖房戻り管
１１  膨張タンク
１２  暖房用の循環ポンプ
１３  高温暖房往き管
１４  低温暖房往き管
１９  温度センサ
２１  給湯用バーナ
２２  ファンケース
２３  給湯用一次熱交換器
２４  給湯用二次熱交換器
３１  暖房用バーナ
３３  暖房用一次熱交換器
３４  暖房用二次熱交換器
３５  ファン
３６  ファンモータ
５０  ファン駆動制御部
６０  給湯制御部
７０  暖房制御部
８０  追い焚き制御部
【図１】
2019168125.tif 000003
【図２】
2019168125.tif 000004
【図３】
2019168125.tif 000005
【図４】
2019168125.tif 000006